(57)【特許請求の範囲】
【請求項１】
表示すべき文章を配列するための仮想画面を構築する仮想画面構築部と、
前記仮想画面よりも小さな所定サイズの表示領域を設定する表示領域設定部と、
前記表示領域を前記仮想画面上でスクロールさせるスクロール制御部と、
該スクロール制御部にスクロール方向を指示する指示入力部と、
前記表示領域内の文字データを表示するディスプレイと、
を備え、
前記スクロール制御部では、前記指示入力部で入力された方向に前記表示領域を前記仮想画面上でスクロールさせて、前記仮想画面に配列された文章の行端部分にまで到達したときには、スクロールを停止させて前記行端部分に前記表示領域を保持し、
前記表示領域が当該行端部分に保持されている場合に、前記指示入力部により他の所定の入力がなされたときに、前記表示領域を前記仮想画面の行頭部分に移動させ、
前記表示領域が当該行端部分に保持されていない場合に、前記指示入力部により前記他の所定の入力がなされたときは、前記表示領域を前記仮想画面の行頭部分に移動させない
ことを特徴とする文章表示システム。
【請求項２】
前記スクロール制御部では、前記表示領域を前記行端部分に保持している状態で、前記指示入力部によるスクロール指示が解除されたときに、前記他の所定の入力がなされたと判断し、前記表示領域を前記仮想画面の行頭部分に移動させることを特徴とする請求項１記載の文章表示システム。
【請求項３】
前記文章表示システムが、携帯型電話端末において送受信する文章を前記ディスプレイに表示するときに適用されるものであることを特徴とする請求項１または２記載の文章表示システム。
【発明の詳細な説明】
【０００１】
【発明の属する技術分野】
本発明は、例えば携帯型電話端末等に用いて好適な文章表示システムに関するものである。
【０００２】
【従来の技術】
近年、携帯型電話端末等においては、単なる音声データの送受信のみならず、文字データを送受信する、いわゆる電子メール送受信機能を有しているものが多い。
このように電子メールを送受信する場合、端末の表面に設けられたディスプレイ部に文章を表示することになるが、携帯型電話端末等においてはディスプレイが小さいため、長い文章の表示には工夫を凝らす必要がある。
【０００３】
このため従来では、ディスプレイの画面サイズに合わせた所定の形式に文章を自動的に変換して表示する方法や、ディスプレイの画面の端で改行して文章を表示する方法などが採用されている。またこの他、仮想画面を構築してこの仮想画面上に文章を表示しておき、この仮想画面上においてディスプレイに表示される表示領域を移動させていく方法（いわゆるスクロール表示）も利用されている。
【０００４】
【発明が解決しようとする課題】
しかしながら、電子メール等の文章は、文章の作成者が意図を持って改行位置等を設定している。このような文章を自動的に成形したり、あるいはディスプレイの大きさに合わせて自動的に改行すると、改行位置が変化したり、あるいはスペースを設けたり、行を一行明けてある場合等には、複数行にわたって空欄となってしまう等、作者が本来意図する文章構成が無視されることとなる。また、小さなディスプレイの幅に合わせて細かく改行すると、文章を読むときの目の動きが細かくなって文章が読みにくかったり、あるいは表示が見にくくなるといった問題があった。
【０００５】
一方、仮想画面上で表示領域をスクロールしていく方法では、仮想画面上に文章の構成をそのまま配置するため、上記のような問題は回避できる。しかしこの方法では、スクロールキー等を操作して、行の最後まで表示領域を移動させた後、次の行の先頭部分に表示領域を移動させる必要がある。このときには、例えば下方向等にスクロールさせるために別のスクロールキーを操作するのが通常であるが、これではキー操作が煩雑なものとなる。また、行の最後まで表示領域が移動した後に、自動的に次の行の先頭部分に表示領域が移動する方法も考えられるが、これでは、行の最後まで読み終わらないうちに次の行が表示されてしまい、文章の把握を確実に行えないこともある。
【０００６】
本発明は、以上のような点を考慮してなされたもので、文章の把握を確実に行うことができ、また操作を容易に行うことのできる文章表示システムを提供することを課題とする。
【０００７】
【課題を解決するための手段】
請求項１に係る発明は、表示すべき文章を配列するための仮想画面を構築する仮想画面構築部と、前記仮想画面よりも小さな所定サイズの表示領域を設定する表示領域設定部と、前記表示領域を前記仮想画面上でスクロールさせるスクロール制御部と、該スクロール制御部にスクロール方向を指示する指示入力部と、前記表示領域内の文字データを表示するディスプレイと、を備え、前記スクロール制御部では、前記指示入力部で入力された方向に前記表示領域を前記仮想画面上でスクロールさせて、前記仮想画面に配列された文章の行端部分にまで到達したときには、スクロールを停止させて前記行端部分に前記表示領域を保持し、前記表示領域が当該行端部分に保持されている場合に、前記指示入力部により他の所定の入力がなされたときに、前記表示領域を前記仮想画面の行頭部分に移動させ、前記表示領域が当該行端部分に保持されていない場合に、前記指示入力部により前記他の所定の入力がなされたときは、前記表示領域を前記仮想画面の行頭部分に移動させないことを特徴としている。
【０００８】
請求項２に係る発明は、前記スクロール制御部では、前記表示領域を前記行端部分に保持している状態で、前記指示入力部によるスクロール指示が解除されたときに、前記他の所定の入力がなされたと判断し、前記表示領域を前記仮想画面の行頭部分に移動させることを特徴としている。
【０００９】
請求項３に係る発明は、前記文章表示システムが、携帯型電話端末において送受信する文章を前記ディスプレイに表示するときに適用されるものであることを特徴としている。
【００１０】
このような文章表示システムでは、ディスプレイで表示する表示領域が行端部分まで到達したときに、スクロールを停止させて行端部分の表示を維持することにより、文章を確実に把握することができる。そして、この後、指示入力部が例えばスクロールキー等である場合、スクロールさせるために押していたキーを離す等したときに、指示入力部で他の所定の入力がなされたと判断し、表示領域を行頭部分に移動させるようになっている。これにより、行頭への表示範囲の移動に際して、キー操作を別途行う必要がなく、操作を煩雑とすることなく行うことができる。
【００１１】
【発明の実施の形態】
以下、本発明に係る文章表示システムの実施の形態の一例を、図１ないし図４を参照して説明する。ここでは、本発明を、例えば携帯型電話端末に適用する場合の例を用いて説明する。
【００１２】
図１に示すものは、携帯型電話端末の一例であり、符号１は、携帯型電話端末、２は携帯型電話端末１の筐体、３は筐体２の表面に配設された所定サイズのディスプレイ部、４は筐体２の表面に複数配置された操作キー、５はスクロールキー（指示入力部）、６はアンテナである。
【００１３】
このような携帯型電話端末１においては、スクロールキー５を操作することにより、ディスプレイ３に表示される文章を上下左右方向にスクロールするため、以下のような構成を有している。
【００１４】
すなわち、図２に示すように、内蔵された処理装置１０において、当該携帯型電話端末１側で作成された電子メール文章、あるいは他の携帯型電話端末１から送られてきた電子メール文章は、文章記憶部１１に記憶されている。この文章記憶１１に記憶された文章は、仮想画面構築部１２において、図３に示すような、各行所定の文字数を有した形式の仮想画面Ｓ上に配置される。そしてこの文章が配置された仮想画面Ｓは、図２に示した仮想画面記憶部１３に記憶されるのである。
そして、制御部（表示領域設定部、スクロール制御部）１４において、図３に示したような、ディスプレイ３の大きさに対応した所定の表示領域Ａが設定され、この表示領域Ａ内の仮想画面Ｓ上の文字データがディスプレイ３に表示されるようになっている。
この表示領域Ａは、スクロールキー５などの入力部からの入力イベントを取得すると、仮想画面Ｓ上でスクロールキー５により指示された方向（上・下・左・右のいずれか）に移動するようになっており、これにより、ディスプレイ３に表示される文章が上下左右にスクロールされるようになっているのである。
【００１５】
そして、図３（ａ）に示したように、例えばディスプレイ３に仮想画面Ｓの先頭ブロック（文章の行頭部分）Ｓａ（図の例のように文章が横書きの場合は文章の左端部分）が表示され、この状態で、所定のスクロールキー５（図の例では、右方向キー）を一回押下すると、図３（ｂ）に示したように、仮想画面Ｓ上で表示領域Ａが一ブロック分（表示領域Ａ一つ分）右方向にジャンプして移動し、その領域の文章をディスプレイ３に表示する。また、スクロールキー５を押し続けると、仮想画面Ｓ上で表示領域Ａが順次右方向に移動していき、その領域を順次ディスプレイ３に表示するようになっている。
【００１６】
このとき、仮想画面Ｓ上の行端部分以外の部分がディスプレイ３に表示されている状態でスクロールキー５を離した場合には、その場所で表示領域Ａが停止する、あるいは同じ行の行頭部分に表示領域Ａがジャンプするなどの動作を適宜採用することが可能であり、ここではそれを限定する意図はない。
【００１７】
そして、図３（ｃ）に示すように、スクロールキー５を押下することにより、表示領域Ａが仮想画面Ｓの右端Ｓｂ、つまり各行の行端部分にまで移動した場合、キーを押下している限り、自動的に次の行の行頭部分にジャンプしたりすることはなく、行端部分に表示領域Ａは保持され、ディスプレイ３には行端部分の文章が表示され続けるようになっている。その後、スクロールキー５を離したときには、制御部１４ではそのキー入力イベントを取得し、図３（ｄ）に示すように、仮想画面Ｓの左端Ｓａ、つまり同じ行の行頭部分（あるいは次の行の行頭部分）、に表示領域Ａがジャンプして移動し、行頭部分の文章がディスプレイ３に表示されるようになっている。つまり、制御部１４では、スクロールキー５を離すことにより、所定の入力が成されたと判断し、表示領域Ａを自動的に行頭部分へとジャンプさせるのである。
ここで、図４に示すフローチャートは、上記処理装置１０における制御内容を示すものである。
【００１８】
このような文章表示システムを採用することにより、携帯型電話端末１においては、人が文章を読む際、各行の行端まで確実に読むことができ、人が文章を読む際の目の動きが自然なものとなり、文章を確実に把握することができる。そして、このように小さな画面において長い画面を表示可能となり、しかも自動的に文章を短く改行したり、また次の行を表示したりしないため、内容の把握を確実に行うことができ、また折り返し表示等を採用しないため文章の元々の構成を保つことができる。
また、表示領域Ａを行端部分にまでスクロールさせた後、押下していたスクロールキー５を単に離すのみで表示領域Ａが行頭部分にジャンプするようになっているので、他のスクロールキー５を別途操作する必要がなく操作が煩雑になることもない。
【００１９】
なお、上記実施の形態では、携帯型電話端末１に本発明を適用する例を挙げたが、これに限るものではなく、携帯型情報端末１、あるいはパーソナルコンピュータ、ワードプロセッサ等にも、同様の構成が適用できる。
また、ディスプレイ３に表示する文章は、横書きに限らず、縦書きであっても良く、この場合にも上記構成を同様に適用することが可能である。この他、ディスプレイ部３の形状も、横長のものに限らず、縦長のものであっても良い。
さらに、例えばスクロールキー５等、携帯型電話端末１の各部の構成については何ら問うものではなく、いかなる構成の携帯型電話端末においても上記構成を適用することができる。
【００２０】
これ以外にも、本発明の主旨を逸脱しない範囲内であれば、いかなる構成を採用しても良く、また上記したような構成を適宜選択的に組み合わせたものとしても良いのは言うまでもない。
【００２１】
【発明の効果】
以上説明したように、本発明の文章表示システムによれば、ディスプレイで表示する表示領域が行端部分まで到達したときに、スクロールを停止させて行端部分の表示を維持することにより、文章を確実に把握することができる。そして、この後、指示入力部が例えばスクロールキー等である場合、スクロールさせるために押していたキーを離す等したときに、指示入力部で他の所定の入力がなされたと判断し、表示領域を行頭部分に移動させるようになっている。これにより、行頭への表示範囲の移動に際して、キー操作を別途行う必要がなく、操作を煩雑とすることなく行うことができる。したがって、操作感に優れ、しかも文章内容を確実に把握することが可能となっている。
【図面の簡単な説明】
【図１】  本発明に係る文章表示システムを適用する携帯型電話端末の一例を示す外観図である。
【図２】  前記文章表示システムの構成を示すブロック図である。
【図３】  同文章表示システムにおける表示領域のスクロール状態を示す図である。
【図４】  同文章表示システムにおける制御内容を示すフローチャートである。
【符号の説明】
１  携帯型電話端末
３  ディスプレイ
５  スクロールキー（指示入力部）
１２  仮想画面構築部
１４  制御部（表示領域設定部、スクロール制御部）
Ａ  表示領域
Ｓ  仮想画面
【図１】
0004421020.tif 000002
【図２】
0004421020.tif 000003
【図３】
0004421020.tif 000004
【図４】
0004421020.tif 000005